(57)【要約】  【課題】  第３容器を冷蔵庫本体内に残しまま、前面扉の引き出しに伴って第１容器と第２容器が引き出され、第１容器への物品の出し入れ時には第２容器を第１容器の上で後方に移動させるが第２容器は第１容器の上に載ったままであり、第１容器の奥側における物品の出し入れが不便である。本発明は、第１、第２、第３容器が上下に配置され、各容器の物品の出し入れが容易であり、各容器の清掃が容易な冷蔵庫を提供するものである。  【解決手段】  扉の前後移動する第１容器と、第１容器の左右両側に形成した前後方向スライド面に載置する第２容器と、冷蔵庫本体内の上段レールに載置された第３容器とを備え、冷蔵庫本体内には第２容器を収納載置する下段レールを設け、第２容器をスライド面に載置した状態と下段レールに載置した状態とに移動可能とすること。【選択図】  図６
2006189224.tif 000002
【特許請求の範囲】
【請求項１】
冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に前後スライド可能に載置される第２容器と、前記冷蔵庫本体内の上段レールに前後方向に引き出し収納可能に載置された第３容器とを備え、前記冷蔵庫本体内には前記第２容器を前記冷蔵庫本体内に収納載置する下段レールを設け、前記第２容器を前記スライド面に載置して前記第１容器上に位置させた状態と前記下段レールに載置して前記冷蔵庫本体内に収納した状態とに移動可能とすることを特徴とする冷蔵庫。
【請求項２】
冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に載置される第２容器と、この第２容器の上方にあって前記冷蔵庫本体内のレールに前後方向に引き出し収納可能に載置された第３容器とを備え、この第３容器は、前記扉の引き出し動作時には前記冷蔵庫本体内のレールに残った状態を保持し、前記扉が引き出された状態で前記レールに沿って前方へ引き出されたとき前部が前記第２容器に載置され後部が前記レールに載置される状態となり、前記扉の収納動作に伴って全体が前記レールに載置される状態へ後退することを特徴とする冷蔵庫。
【請求項３】
冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に前後スライド可能に載置される第２容器と、この第２容器の上方にあって前記冷蔵庫本体内の上段レールに前後方向に引き出し収納可能に載置された第３容器とを備え、前記扉の引き出し状態において前記第２容器を前記スライド面に沿って後方へスライドさせることにより前記第１容器の上面開口を大きく開いた後方位置に前記第２容器を載置する下段レールを前記冷蔵庫本体内に設け、前記第２容器が下段レールに載置され前記第３容器が前記上段レールに載置された状態で、前記第３容器の引き出しに伴って前記第２容器が引き出される関係に構成したことを特徴とする冷蔵庫。
【請求項４】
冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に載置される第２容器と、この第２容器の上方にあって前記冷蔵庫本体内の上段レールに前後方向の引き出し収納可能に載置された第３容器とを備え、前記冷蔵庫本体内には前記第２容器を前記冷蔵庫本体内に収納載置する下段レールを設け、前記第２容器を前記スライド面に載置して前記第１容器上に位置させた状態と前記下段レールに載置して前記冷蔵庫本体内に収納した状態とに移動可能とし、前記第３容器は前記扉の引き出し動作時には前記冷蔵庫本体内の上段レールに残った状態を保持し、前記第１容器と第２容器が引き出された状態で前記第３容器が前記上段レールに沿って前方へ引き出されたとき前記第３容器は前部が前記第２容器に載置され後部が前記上段レールに載置される状態となり、前記扉の収納動作に伴って前記第３容器が前記上段レールに載置される状態へ後退するように構成され、前記第２容器と前記第３容器とは前記第３容器の引き出しに伴って前記第２容器が引き出される関係に構成したことを特徴とする冷蔵庫。
【発明の詳細な説明】
【技術分野】
【０００１】
本発明は、冷蔵庫本体内に複数段に容器を引き出し可能に配置した冷蔵庫に関する。
【背景技術】
【０００２】
冷蔵庫本体内に上下３段に容器を引き出し可能に配置した冷蔵庫がある。これは、下段の第１容器の上面に第２容器がローラと突起によって前後移動可能に設けられ、第２容器の上方には冷蔵庫本体内の内箱の左右に設けたレールに前後移動可能に第３容器が設けられ、第３容器は冷蔵庫本体内に残ったまま、前面扉の引き出しに伴って第１容器と第２容器が引き出され、第２容器は第１容器の上を前後に移動可能である。（例えば、特許文献１）。
【特許文献１】特開２００１−３４９６６５号公報
【発明の開示】
【発明が解決しようとする課題】
【０００３】
特許文献１のものは、第３容器を冷蔵庫本体内に残ったまま、前面扉の引き出しに伴って第１容器と第２容器が引き出され、第１容器への物品の出し入れ時には、第２容器を第１容器の上を後方に移動させて行うが、その場合も第２容器は第１容器の上に載ったままであるため、第１容器の奥側における物品の出し入れが不便である。本発明は、このような点に鑑みて、第１容器、第２容器、第３容器が上下に配置されたものにおいて、各容器における物品の出し入れが容易であり、各容器の清掃が容易な構成の冷蔵庫を提供するものである。
【課題を解決するための手段】
【０００４】
第１の発明は、冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に前後スライド可能に載置される第２容器と、前記冷蔵庫本体内の上段レールに前後方向に引き出し収納可能に載置された第３容器とを備え、前記冷蔵庫本体内には前記第２容器を前記冷蔵庫本体内に収納載置する下段レールを設け、前記第２容器を前記スライド面に載置して前記第１容器上に位置させた状態と前記下段レールに載置して前記冷蔵庫本体内に収納した状態とに移動可能とすることを特徴とする冷蔵庫である。
【０００５】
第２の発明は、冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に載置される第２容器と、この第２容器の上方にあって前記冷蔵庫本体内のレールに前後方向に引き出し収納可能に載置された第３容器とを備え、この第３容器は、前記扉の引き出し動作時には前記冷蔵庫本体内のレールに残った状態を保持し、前記扉が引き出された状態で前記レールに沿って前方へ引き出されたとき前部が前記第２容器に載置され後部が前記レールに載置される状態となり、前記扉の収納動作に伴って全体が前記レールに載置される状態へ後退することを特徴とする冷蔵庫である。
【０００６】
第３の発明は、冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に前後スライド可能に載置される第２容器と、この第２容器の上方にあって前記冷蔵庫本体内の上段レールに前後方向に引き出し収納可能に載置された第３容器とを備え、前記扉の引き出し状態において前記第２容器を前記スライド面に沿って後方へスライドさせることにより前記第１容器の上面開口を大きく開いた後方位置に前記第２容器を載置する下段レールを前記冷蔵庫本体内に設け、前記第２容器が下段レールに載置され前記第３容器が前記上段レールに載置された状態で、前記第３容器の引き出しに伴って前記第２容器が引き出される関係に構成したことを特徴とする冷蔵庫である。
【０００７】
第４の発明は、冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に載置される第２容器と、この第２容器の上方にあって前記冷蔵庫本体内の上段レールに前後方向の引き出し収納可能に載置された第３容器とを備え、前記冷蔵庫本体内には前記第２容器を前記冷蔵庫本体内に収納載置する下段レールを設け、前記第２容器を前記スライド面に載置して前記第１容器上に位置させた状態と前記下段レールに載置して前記冷蔵庫本体内に収納した状態とに移動可能とし、前記第３容器は前記扉の引き出し動作時には前記冷蔵庫本体内の上段レールに残った状態を保持し、前記第１容器と第２容器が引き出された状態で前記第３容器が前記上段レールに沿って前方へ引き出されたとき前記第３容器は前部が前記第２容器に載置され後部が前記上段レールに載置される状態となり、前記扉の収納動作に伴って前記第３容器が前記上段レールに載置される状態へ後退するように構成され、前記第２容器と前記第３容器とは前記第３容器の引き出しに伴って前記第２容器が引き出される関係に構成したことを特徴とする冷蔵庫である。
【発明の効果】
【０００８】
第１の発明は、第２容器は第１容器上に位置させた状態と冷蔵庫本体内に収納した状態のいずれにも移動可能であるため、第１容器の上面開口が大きく開いて使い勝手がよく、第１容器に対する物品の出し入れやその中の清掃もし易くなる。そして、第１容器と第２容器と第３容器は、個々に引き出しと収納が可能であり、収納状態では冷蔵庫本体内に安定支持できるものとなる。
【０００９】
第２の発明は、第３容器は、扉の引き出し動作時には冷蔵庫本体内のレールに残ったままであり、扉が引き出された状態で第１容器の上面開口に載った第２容器の上面は露出するため、第２容器に対する物品の出し入れがし易くなると共に、第１容器に対する物品の出し入れも可能となる。また、扉が引き出された状態で第３容器をレールに沿って前方へ引き出せば、その前部が第２容器に載置され後部がレールに載置される状態となるため、貯蔵物品が零れ落ちることもなく、安定支持状態に第３容器を支持できることとなる。そして、第３容器を押し込んでもレールに載置される収納状態になるが、扉の収納動作に伴って第３容器全体がレールに載置される収納状態にもなるため、収納動作もし易くなる。
【００１０】
第３の発明では、扉の引き出し状態において第２容器をスライド面に沿って後方へスライドさせることにより、第２容器は下段レールに載置されるため、第２容器の収納と引き出しの動作がし易く、安定支持が達成できると共に、第１容器に対して大きく開いた上面開口から物品の出し入れが容易となる。また、扉の引き出し状態において、第２容器が下段レールに載置され第３容器が上段レールに載置された収納状態では、第３容器を引き出せば第２容器が引き出されるため、第２容器と第３容器に対する物品の出し入れは容易となり、使い勝手が良いものとなる。
【００１１】
第４の発明では、第１の発明乃至第３の発明の相乗効果が得られる。
【発明を実施するための最良の形態】
【００１２】
本発明は、冷蔵庫本体の前面開口を開閉するように前記冷蔵庫本体に前後方向の引き出し収納可能に設けた扉と、前記冷蔵庫本体内にあって前記扉の引き出し収納に伴って前後方向に引き出し収納される上面開口の第１容器と、前記第１容器の上面開口の左右両側に形成した前後方向のスライド面に前後スライド可能に載置される第２容器と、前記冷蔵庫本体内の上段レールに前後方向に引き出し収納可能に載置された第３容器とを備え、前記冷蔵庫本体内には前記第２容器を前記冷蔵庫本体内に収納載置する下段レールを設け、前記第２容器を前記スライド面に載置して前記第１容器上に位置させた状態と前記下段レールに載置して前記冷蔵庫本体内に収納した状態とに移動可能とすることを特徴とするものであり、本発明の実施例を以下に記載する。
【実施例１】
【００１３】
次に、本発明の実施形態について説明する。図１は本発明に係る冷蔵庫の正面斜視図、図２は本発明に係る冷蔵庫の断熱仕切り壁を取り付けた発泡組み立て本体の構成を示す正面斜視図、図３は本発明に係る冷蔵庫の縦断側面図、図４は本発明に係る冷蔵庫の第１容器〜第３容器の関係を示す分解斜視図、図５は本発明に係る冷蔵庫の引き出し扉を引き出した状態を示す縦断側面図、図６は本発明に係る冷蔵庫の引き出し扉を引き出した状態において第３容器を引き出した状態を示す縦断側面図である。
【００１４】
実施例１に係る冷蔵庫１は、前面開口の冷蔵庫本体２内を断熱仕切り壁１０によって、上部貯蔵室３と下部貯蔵室４に上下に仕切っている。これによって、上部貯蔵室３は冷蔵室を構成し、下部貯蔵室は冷凍室を構成している。冷蔵庫本体２は、金属製の外箱（外壁板）２Ａと、厚み１．２ｍｍ〜０．８ｍｍの合成樹脂製板を真空成形した内箱（内壁板）２Ｂとの組み合わせで発泡組み立て本体２００を構成し、外箱（外壁板）２Ａと内箱（内壁板）２Ｂとの間の空間に、発泡断熱材２Ｃを充填した断熱構造の断熱箱体である。上部貯蔵室３の前面開口は、冷蔵庫本体２の一側部に取り付けたヒンジ装置によって横方向へ回動されるスウィング式断熱扉５によって開閉される。また下部貯蔵室４の前面開口は、下部貯蔵室４内に設けた左右のレールとローラを含む支持装置６によって前後方向へ引き出し可能に支持した引き出し式扉８にて開閉され、支持装置６には上面開口の合成樹脂製の第１容器７が前方へ引き出し可能に支持されている。
【００１５】
冷蔵庫１は、その上面をテーブル９として使用可能とする大きさであり、略１０００ｍｍ〜１３００ｍｍの高さに冷蔵庫本体２を構成している。このため、冷蔵庫本体２の上面テーブル板９は、冷蔵庫本体２の金属製の外箱（外壁板）２Ａの上面部分を構成するものであり、このテーブル板９の下面と内箱（内壁板）２Ｂとの間には、発泡断熱材２Ｃが充填された構成である。
【００１６】
断熱仕切り壁１０は、インジェクション成形の合成樹脂製上板１４とインジェクション成形の合成樹脂製下板１５との間に、予め所定形状に成形された発泡スチロール等の断熱材１６が挟持された断熱構造をなしている。このような断熱仕切り壁１０は、冷蔵庫本体２の内箱（内壁板）２Ｂの左右側壁に前後方向に形成した溝１７と、内箱（内壁板）２Ｂの後壁に形成した前面開口の溝１８に冷蔵庫本体２の前面開口部から挿入されて取り付けられた構成である。
【００１７】
下部貯蔵室４の後部には、冷蔵庫本体２の後壁２Ｄとの間に断熱区画壁１１によって区画された冷却器室１２が形成され、冷却器室１２内には冷却器１３が設置されている。これによって、断熱区画壁１１の前方部に冷凍室である下部貯蔵室４が形成される。
【００１８】
冷却器１３で冷却した冷気を上部貯蔵室３と下部貯蔵室４に循環させるよう、断熱仕切り壁１０の後部を上下に貫通形成した冷気通路となる空間１９に送風機２０が配置されている。送風機２０は、プロペラファン２２とこれを回転する電動機２１がケーシング２３に取り付けられた軸流ファンである。送風機２０は、断熱仕切り壁１０の空間１９に斜め上前方へ冷気を送出するように、合成樹脂製の取付け部材２５によって斜め支持状態に取り付けられている。取付け部材２５の上部の固定部は、上部貯蔵室３の下部に対応した内箱（内壁板）２Ｂの後壁に形成した窪み２４に嵌って位置決めされた状態で、上部をネジやプッシュ式プラスチック止め具等の止め具２６によって、内箱（内壁板）２Ｂに取り付けられている。
【００１９】
送風機２０の取付け部材２５は、送風機２０の取付け部２５Ａの左右両側に傾斜の支え部２９を備え、この支え部２９の外側で前方へ膨らんだ壁部２８を形成しており、この左右両側の膨らんだ壁部２８は、取付け部２５Ａに送風機２０を取り付けた状態で、ケーシング２３の左右両側が当接又は近接する。送風機２０は、左右両側の支え部２９と上部の弾性保持片２７によって、ケーシング２３を所定位置に保持するようにしてもよいが、送風機２０の下部を支える支持部３０を取付け部材２５に形成してもよい。また、図のように、この支持部３０を断熱仕切り壁１０の下板１５に形成することもできる。このようにして、送風機２０は断熱仕切り壁１０の空間１９に合成樹脂製の取付け部材２５によって斜め支持状態に取り付けられている。
【００２０】
このようにして送風機２０を取り付けた状態で、上部貯蔵室３の後部には、冷蔵庫本体２の後壁との間に上部貯蔵室３への冷気分配通路３３を形成する背壁部材３２が、冷蔵庫本体２に取り付けられている。背壁部材３２は、合成樹脂製の前面板３２Ａとその裏側の断熱材３２Ｂとの組み合わせである。背壁部材３２を取り外せば、弾性保持片２７の弾性を利用して送風機２０を前方へ取り外し可能であり、また前方から取付け可能となる。送風機２０への給電線の配線は、背壁部材３２の取付け前に行う。
【００２１】
下部貯蔵室４には、引き出し式扉８と共に前後方向に引き出し収納される合成樹脂製の上面開口の第１容器７が上方に取り外し自在に載置されている。そして、合成樹脂製第１容器７の上面開口の左右両側壁上端部には、合成樹脂製の上面開口の第２容器７Ａが、上方に取り外し自在且つ前後方向に引き出し収納自在に載置されるスライド面７０が前後方向に形成されている。また、第２容器７Ａの上方には合成樹脂製の上面開口の第３容器７Ｂが配置されている。この第３容器７Ｂは、冷蔵庫本体２の下部貯蔵室４内左右側壁に前後方向に延びるように形成された上段レール７１に、前後方向に引き出し収納可能に載置されている。上段レール７１には、第３容器７Ｂの左右両側のフランジ部７ＢＦが前後方向に引き出し収納可能に載置される関係である。
【００２２】
第３容器７Ｂは、冷凍食品が小分け収納できるように左右に容器部７Ｂ１と容器部７Ｂ２が形成され、第３容器７Ｂ２の後方部には貯氷用容器部７Ｂ３が形成され、貯氷用容器部７Ｂ３の上面部には製氷皿７Ｃが取り外し自在に載置されている。製氷皿７Ｃには、その上面開口を開閉する蓋７Ｃ１が取り付けられる。
【００２３】
第１容器７を上方に取り外し自在に載置する支持装置６について説明する。第１容器７は、下部貯蔵室４内に引き出し支持装置６によって前後方向へ引き出し可能であり、引き出し支持装置６に取り外し自在に載置した構成である。引き出し支持装置６の構成は、引き出し式扉８の裏面から後方へ略平行に延びた左右の支持部材６Ａを設け、左右の支持部材６Ａの後部には、それぞれローラ７３が取り付けられている。これらのローラ７３は、下部貯蔵室４の左右側壁面に前後方向に形成した左右のレール７２に、前後方向に引き出し収納可能に載置されている。また、下部貯蔵室４の左右側壁面の前部には、左右支持部材６Ａの下部フランジ６Ａ１が、それぞれ載置されるローラ７４が取り付けられている。左右の支持部材６Ａの後部は、連結部材６Ｂによって連結されて補強されている。この構成によって、引き出し式扉８は第１容器７と共に引き出し収納自在であり、第１容器７はその左右のフランジ部７Ｆが、支持部材６Ａの所定位置に上方に取り外し自在に載置された状態である。
【００２４】
冷蔵庫本体２の下部貯蔵室４の左右側壁面に前後方向に左右の下段レール７５が形成されており、第２容器７Ａの左右側壁に形成したフランジ部７Ａ２が、この左右の下段レール７５に載置される状態である。また、第２容器７Ａは、その左右側壁に形成したフランジ部７Ａ１が、第１容器７の上面開口の左右両側に形成した前後方向のスライド面７０に前後方向にスライド可能に載置される構成である。
【００２５】
引き出し式扉８が閉まった状態では、第１容器７は左右の支持部材６Ａの所定位置に左右のフランジ部７Ｆが載置された状態であり、第２容器７Ａはその左右側壁に形成したフランジ部７Ａ１が、第１容器７のスライド面７０に載置された状態である。フランジ部７Ａ２は下段レール７５から僅かに浮いた状態である。また、第３容器７Ｂは、その左右フランジ部７ＢＦが、上段レール７１に前後方向に引き出し収納可能に載置された状態である。この状態は、図３に示す。
【００２６】
図３の状態において、冷却器１３によって冷却された冷気は、送風機２０によって矢印のように上部貯蔵室３と下部貯蔵室４とに循環して冷却する。即ち、送風機２０から冷気分配通路３３へ送出された冷気は、冷気分配通路３３に対応して背壁部材３２に形成した冷気吐出口から上部貯蔵室３へ流入して上部貯蔵室３を冷却した後、帰還路（図示せず）を通って冷却器室１２の下部へ入り、ここで再び冷却器１３によって冷却される循環をする。また、送風機２０から下部貯蔵室４の上部へ流入した冷気は、下部貯蔵室４を冷却した後、断熱区画壁１１の下端部から冷却器室１２の下部へ入り、ここで再び冷却器１３によって冷却される循環をする。上部貯蔵室３は冷蔵室であり、上部貯蔵室３の温度を温度センサで感知して制御回路部によって、冷凍サイクルの冷媒の圧縮機３５をＯＮ−ＯＦＦ制御する。冷却器１３は圧縮機３５と共に冷凍サイクルを構成する。３６は冷却器１３の霜取り用電気ヒータ、３７は扉５を開いたとき点灯し、扉５を閉じたとき消灯する庫内灯である。
【００２７】
このように、引き出し式扉８が閉まった状態から引き出し式扉８を前方へ引き出すことによって、第１容器７が前方へ引き出される。一方、第２容器７Ａはその左右側壁に形成したフランジ部７Ａ１が、第１容器７に載置された状態で下部貯蔵室４内から第１容器７と一緒に引き出される。このとき、第３容器７Ｂは下部貯蔵室４の上段レール７１に載置された状態で下部貯蔵室４内に残った状態である。
【００２８】
このように、引き出し式扉８を略いっぱいに引き出した状態において、第２容器７Ａの上面開口は下部貯蔵室４の前面に露出するが、第１容器７は第２容器７Ａで覆われているため、第１容器７に対する物品の収納及び出し入れを自由に行うことができない。この状態は図５に示す。この状態で、第２容器７Ａに対する物品の収納及び出し入れを自由に行うことができる。この状態において、第１容器７に対する物品の収納及び出し入れを行うためには、第２容器７Ａを後方へ押し込むことによって、第２容器７Ａは下段レール７５に載置された状態となり、第１容器７の上面開口を大きく開くことができる。
【００２９】
即ち、図５の状態で、第２容器７Ａをスライド面７０に沿って後方へスライドさせることにより、第２容器７Ａはその左右側壁に形成したフランジ部７Ａ２が、下段レール７５に載置された状態で下部貯蔵室４内に収納されるため、第１容器７の上面開口を大きく開くことができる。このように、下段レール７５とスライド面７０とは、第２容器７Ａを下部貯蔵室４内に収納保持する状態と、第１容器７上に載置した状態とに選択載置できる関係に形成されている。なお、第２容器７Ａをスライド面７０に沿ってその上を後方へスライドさせることにより、第２容器７Ａの左右側壁に形成したフランジ部７Ａ１が載置されるように、下段レール７５の位置を定めた構成でもよい。
【００３０】
上記のように、扉８の引き出し動作時には、第３容器７Ｂは冷蔵庫本体２内の上段レール７１に残った状態を保持している。扉８の引き出しによって、第１容器７と第２容器７Ａとが引き出される。この状態において、第３容器７Ｂを上段レール７１に沿って前方へ引き出すことによって、第３容器７Ｂは、その前部が第２容器７Ａに載置され後部が上段レール７１に載置される状態となる。この具体的な構成として、第３容器７Ｂの前部底面の左右には、下方へ突出した脚部８０が形成されており、第３容器７Ｂを引き出したとき、この脚部８０が第２容器７Ａの上面開口の左右部に前後方向に形成したスライド面８１をスライドする構成である。このスライド面８１の前端には、第２容器７Ａの前壁８２があり、左右の脚部８０がこの前壁８２に当たったとき、第３容器７Ｂの引き出しがストップし、この状態で、第３容器７Ｂは、その前部が第２容器７Ａに載置され、第３容器７Ｂの後部が上段レール７１に載置されて保持される。この状態は、図６に示す。
【００３１】
この図６の状態において、扉８を閉める、即ち、第１容器７の収納動作を行うことに伴って、第１容器７に載置された第２容器７Ａも第１容器７と共に後方へ移動するため、第３容器７Ｂの左右の脚部８０が第２容器７Ａの前壁８２によって後方へ押され、第３容器７Ｂも第２容器７Ａと共に後方へ移動する。この後方への移動によって、第３容器７Ｂ全体の載置が上段レール７１による載置となり、扉８が閉まった状態で、図３のように元の状態となり、第１容器７、第２容器７Ａ、及び第３容器７Ｂは、冷蔵庫本体２の下部貯蔵室４内の所定位置に収納される。
【００３２】
上記のように、扉８の引き出し動作時には、第３容器７Ｂは冷蔵庫本体２内の上段レール７１に残った状態を保持している。また、図５に示す状態において、上記のように第２容器７Ａをスライド面７０に沿って後方へスライドさせて下部貯蔵室４に収納された状態では、第１容器７は前方へ引き出された状態であり、第２容器７Ａと第３容器７Ｂは下部貯蔵室４に収納された状態となる。このような状態において、第３容器７Ｂを前方へ引き出せば、それに伴って第３容器７Ｂの左右の脚部８０が第２容器７Ａの前壁８２を前方へ押すため、第３容器７Ｂと共に第２容器７Ａが引き出されるようになる。これによって、第２容器７Ａと第３容器７Ｂへの物品の収納や取り出しがし易い状態となる。
【００３３】
なお、第２容器７Ａの前部には、第２容器７Ａがスライド面７０に載置された状態で第１容器７の前部又は扉８の裏面に係合し、第２容器７Ａをスライド面７０に沿って後方へスライドさせる際には、第２容器７Ａの前部を持ち上げることによって前記係合を外すことができる係合部を設けた構成とすれば、扉８の引き出し動作に伴って、第１容器７と第２容器７Ａを共に引き出すことができ、第２容器７Ａの前部を持ち上げて前記係合を外すことによって、第２容器７Ａを後方へスライドさせれば、下部貯蔵室４内の下段レール７５に載置させる状態に移動させることができる。
【００３４】
上記において、第１容器７、第２容器７Ａ、第３容器７Ｂは、それぞれ取り外すことによって、水洗いが可能となり、各容器を衛生的に保つことができるものとなる。
【産業上の利用可能性】
【００３５】
本発明の冷蔵庫は、冷凍冷蔵庫の呼称されるものもあるが、本発明の技術的範囲を逸脱しない限り種々の形態の冷蔵庫に摘要できるものであり、上部貯蔵室と下部貯蔵室が実施例の形態に限らず、冷蔵室、冷凍室、野菜室、その他の用途室の組み合わせであっても、何ら差し支えなく、第１容器７、第２容器７Ａ、第３容器７Ｂがいずれの室に設けられる形態でも適用可能である。
【図面の簡単な説明】
【００３６】
【図１】本発明に係る冷蔵庫の正面斜視図である。（実施例１）
【図２】本発明に係る冷蔵庫の断熱仕切り壁を取り付けた発泡組み立て本体の構成を示す正面斜視図である。（実施例１）
【図３】本発明に係る冷蔵庫の縦断側面図である。（実施例１）
【図４】本発明に係る冷蔵庫の第１容器〜第３容器の関係を示す分解斜視図である。（実施例１）
【図５】本発明に係る冷蔵庫の引き出し扉を引き出した状態を示す縦断側面図である。（実施例１）
【図６】本発明に係る冷蔵庫の引き出し扉を引き出した状態において第３容器を引き出した状態を示す縦断側面図である。（実施例１）
【符号の説明】
【００３７】
１・・・・冷蔵庫
２・・・・冷蔵庫本体
２Ａ・・・外箱（外壁板）
２Ｂ・・・内箱（内壁板）
２Ｃ・・・発泡断熱材
３・・・・上部貯蔵室
４・・・・下部貯蔵室
５・・・・上部貯蔵室扉
６・・・・支持装置
７・・・・第１容器
７Ａ・・・第２容器
７Ｂ・・・第３容器
７Ａ１・・フランジ部
７Ａ２・・フランジ部
７ＢＦ・・フランジ部
７Ｆ・・・フランジ部
８・・・・下部貯蔵室扉
９・・・・テーブル
１０・・・断熱仕切り壁
１１・・・断熱区画壁
１２・・・冷却器室
１３・・・冷却器
１９・・・空間
２０・・・送風機
２１・・・電動機
２２・・・プロペラファン
２３・・・ケーシング
２５・・・送風機の取付け部材
３３・・・冷気分配通路
３６・・・除霜用電気ヒータ
７０・・・スライド面
７１・・・上段レール
７２・・・レール
７３、７４・・・ローラ
７５・・・下段レール
８０・・・脚部
８１・・・スライド面
【図１】
2006189224.tif 000003
【図２】
2006189224.tif 000004
【図３】
2006189224.tif 000005
【図４】
2006189224.tif 000006
【図５】
2006189224.tif 000007
【図６】
2006189224.tif 000008